(57)【特許請求の範囲】
【請求項１】
上水道管修繕工事の施工を請負施工業者に発注する水道事業体を記載する欄と、
請負施工業者に対する上水道管修繕工事の指示情報を記載する欄と、
上水道管修繕工事の修繕工事内容の内訳を記載する欄と、
上水道管修繕工事の施工を契約した請負施工業者が修繕工事完成届の情報を記載する欄と、
完了した修繕工事費を記載する欄と、
水道事業体が修繕工事完了の検査確認情報を記載する欄と、を順に有し、
修繕工事の内容の内訳を記載する欄は、
修繕工事施工順番に修繕工事を記載する工種項目欄と、
工種項目の修繕工事内容に応じた内訳明細に基づき員数、水道事業体との請負施工単価契約の単価Ｎｏ、前記単価Ｎｏによって決まる単価、前記員数と前記単価より求めた金額を記載する計算欄と、を有し、
修繕工事写真を添付することが可能な上水道管修繕工事調書を用い、
上水道管修繕工事のデータを記憶する修繕工事受付台帳記憶領域と、前記上水道管修繕工事調書のデータを記憶する上水道管修繕工事調書記憶領域と、前記上水道管修繕工事調書の修繕工事写真データを記憶する修繕工事写真記憶領域と、管理システムのソフトウエアを実行するプログラムを記憶したプログラム記憶領域とを有する修繕工事データ管理サーバと、
前記修繕工事データ管理サーバへアクセスして、前記修繕工事受付台帳記憶領域、前記上水道管修繕工事調書記憶領域、前記修繕工事写真記憶領域にそれぞれデータを入力、または記憶したデータを表示する請負施工業者端末と、
前記修繕工事データ管理サーバへアクセスして、前記修繕工事受付台帳記憶領域、前記上水道管修繕工事調書記憶領域、前記修繕工事写真記憶領域にそれぞれ入力されたデータの表示を行ない、修繕工事管理を行なうと共に、修繕工事完了の検査確認の押印を行なう水道事業体設置端末と、を有し、
前記修繕工事写真記憶領域は、前記請負施工業者端末からの操作で、修繕工事施工順番に前記修繕工事写真データを入力して記憶可能であることを特徴とする上水道管修繕工事の管理システム。
【請求項２】
前記請負施工業者端末及び前記水道事業体設置端末は、
それぞれの端末からの操作で画面に、前記修繕工事写真データと、修繕工事データを同時に表示可能であることを特徴とする請求項１に記載の上水道管修繕工事の管理システム。
【請求項３】
前記請負施工業者端末及び前記水道事業体設置端末は、
それぞれの端末からの操作で画面に、前記修繕工事写真データを縮小表示、拡大表示、修繕工事写真を仮復旧写真のみ・本復旧写真のみ、または全部の写真を切り替え表示可能であることを特徴とする請求項１に記載の上水道管修繕工事の管理システム。
【請求項４】
前記請負施工業者端末及び前記水道事業体設置端末は、
それぞれの端末からの操作で画面に、請負施工業者に対する上水道管修繕工事の指示データを表示可能であることを特徴とする請求項１に記載の上水道管修繕工事の管理システム。
【発明の詳細な説明】
【技術分野】
【０００１】
この発明は、上水道管修繕工事の修繕工事写真整理及び請負工事費精算、ならびに工事材料の入出庫を含む上水道管修繕工事の管理システムに関するものである。
【背景技術】
【０００２】
従来、上水道管修繕工事は、地方公共団体などの水道事業体が実施しているが、実際の修繕工事は発注者によって競争及び指名入札を行い、その落札業者が修繕工事の施工を契約して請負施工業者となって緊急の修繕工事を工事指示書に基づき施工している。また、維持管理工事は、水道事業体が管路維持管理計画を作成し、管路の埋設・更新箇所を決定し、必要箇所を指示に基づき施工している。この施工には、掘削工事穴の中に埋設されている他企業の埋設物の体積などを、パーソナルコンピュータにインストールして計算できるソフトなどが用いられている。
【０００３】
契約した請負施工業者は、工事指示書に基づき修繕工事が完了すると、上水道管修繕工事調書を水道事業体に届け出ることで、水道事業体は修繕工事内容の検査確認を行なっている。また、水道事業体は、上水道管修繕工事調書に基づき請負施工業者に対してその修繕工事の費用の精算を行い、さらに水道事業体がこれを整理、活用、保管し、日常の管路の維持管理などに役立てる（特許文献１）。
【先行技術文献】
【特許文献】
【０００４】
【特許文献１】特開２００３−３３１０００号公報
【発明の概要】
【発明が解決しようとする課題】
【０００５】
ところで、この上水道管修繕工事調書には、水道事業体によって決定された一定の様式がなく、工事指示書に基づき契約した請負施工業者が独自に作成して届け出ている。このため、水道事業体が精算業務を実行したり、水道事業体により作成された工事指示の通りに修繕工事が行われたか、修繕工事写真整理及び請負工事費精算、ならびに工事材料の入出庫などの確認作業に手数を要していた。
【０００６】
この発明は、このような課題を解決して、上水道管修繕工事の修繕工事写真整理及び請負工事費精算、ならびに工事材料の入出庫などの確認や管理作業が容易である上水道管修繕工事の管理システムを提供することを目的とする。
【課題を解決するための手段】
【０００７】
前記課題を解決し、かつ目的を達成するために、この発明は、以下のように構成した。
【０００９】
請求項１に記載の発明は、上水道管修繕工事の施工を請負施工業者に発注する水道事業体を記載する欄と、
請負施工業者に対する上水道管修繕工事の指示情報を記載する欄と、
上水道管修繕工事の修繕工事内容の内訳を記載する欄と、
上水道管修繕工事の施工を契約した請負施工業者が修繕工事完成届の情報を記載する欄と、
完了した修繕工事費を記載する欄と、
水道事業体が修繕工事完了の検査確認情報を記載する欄と、を順に有し、
修繕工事の内容の内訳を記載する欄は、
修繕工事施工順番に修繕工事を記載する工種項目欄と、
工種項目の修繕工事内容に応じた内訳明細に基づき員数、水道事業体との請負施工単価契約の単価Ｎｏ、前記単価Ｎｏによって決まる単価、前記員数と前記単価より求めた金額を記載する計算欄と、を有し、
修繕工事写真を添付することが可能な上水道管修繕工事調書を用い、
上水道管修繕工事のデータを記憶する修繕工事受付台帳記憶領域と、前記上水道管修繕工事調書のデータを記憶する上水道管修繕工事調書記憶領域と、前記上水道管修繕工事調書の修繕工事写真データを記憶する修繕工事写真記憶領域と、管理システムのソフトウエアを実行するプログラムを記憶したプログラム記憶領域とを有する修繕工事データ管理サーバと、
前記修繕工事データ管理サーバへアクセスして、前記修繕工事受付台帳記憶領域、前記上水道管修繕工事調書記憶領域、前記修繕工事写真記憶領域にそれぞれデータを入力、または記憶したデータを表示する請負施工業者端末と、
前記修繕工事データ管理サーバへアクセスして、前記修繕工事受付台帳記憶領域、前記上水道管修繕工事調書記憶領域、前記修繕工事写真記憶領域にそれぞれ入力されたデータの表示を行ない、修繕工事管理を行なうと共に、修繕工事完了の検査確認の押印を行なう水道事業体設置端末と、を有し、
前記修繕工事写真記憶領域は、前記請負施工業者端末からの操作で、修繕工事施工順番に前記修繕工事写真データを入力して記憶可能であることを特徴とする上水道管修繕工事の管理システムである。
【００１０】
請求項２に記載の発明は、前記請負施工業者端末及び前記水道事業体設置端末は、
それぞれの端末からの操作で画面に、前記修繕工事写真データと、修繕工事データを同時に表示可能であることを特徴とする請求項１に記載の上水道管修繕工事の管理システムである。 
【００１１】
請求項３に記載の発明は、前記請負施工業者端末及び前記水道事業体設置端末は、
それぞれの端末からの操作で画面に、前記修繕工事写真データを縮小表示、拡大表示、修繕工事写真を仮復旧写真のみ・本復旧写真のみ、または全部の写真を切り替え表示可能であることを特徴とする請求項１に記載の上水道管修繕工事の管理システムである。
【００１２】
請求項４に記載の発明は、前記請負施工業者端末及び前記水道事業体設置端末は、
それぞれの端末からの操作で画面に、請負施工業者に対する上水道管修繕工事の指示データを表示可能であることを特徴とする請求項１に記載の上水道管修繕工事の管理システムである。
【発明の効果】
【００１３】
前記構成により、この発明は、以下のような効果を有する。
【００１５】
請求項１に記載の発明では、水道事業体や請負施工業者は、修繕工事データ管理サーバへアクセスして、それぞれ入力されたデータから上水道管修繕工事の指示から着工、施工完了までの修繕工程管理を把握でき、かつ上水道管修繕工事の精算業務を容易に実行でき、かつ修繕工事内容などの確認や管理作業が容易である。また、請負施工業者端末からの操作で、修繕工事施工順番に修繕工事写真データを入力して記憶可能であり、上水道管修繕工事の状況を修繕工事写真に基づき確認することで精算業務を容易に実行でき、かつ修繕工事内容などの確認や管理作業が容易である。
【００１６】
請求項２に記載の発明では、請負施工業者及び水道事業体は、修繕工事写真データと、修繕工事データを同一画面に表示可能であり、修繕工事内容のなどの確認や管理作業が容易である。
【００１７】
請求項３に記載の発明では、請負施工業者及び水道事業体は、それぞれの端末からの操作で画面に、修繕工事写真データを縮小表示、拡大表示、修繕工事写真を仮復旧写真のみ・本復旧写真のみ、または全部の写真を切り替え表示可能であり、上水道管修繕工事の状況を修繕工事写真に基づき細部にわたり正確に確認することで精算業務を容易に実行でき、かつ修繕工事内容などの確認や管理作業が容易である。
【００１８】
請求項４に記載の発明では、請負施工業者及び水道事業体は、それぞれの端末からの操作で画面に、請負施工業者に対する上水道管修繕工事の指示データを表示可能であり、上水道管修繕工事が指示の通りに施工されたかを容易に確認することができる。
【図面の簡単な説明】
【００１９】
【図１】給・配水管緊急修繕工事調書の平面図である。
【図２】添付する修繕工事写真を示す図である。
【図３】給・配水管緊急修繕工事の内容を示す図である。
【図４】給・配水管緊急修繕工事調書の平面図ある。
【図５】上水道管修繕工事の管理システムの概略構成図である。
【図６】上水道管修繕工事の管理システムの概略ブロック図である。
【図７】管理システムのメニュー画面を示す図である。
【図８】受付台帳閲覧画面を示す図である。
【図９】修繕工事写真取込画面を示す図である。
【図１０】修繕工事写真・調書データ画面を示す図である。
【図１１】修繕工事写真一覧表示画面を示す図である。
【図１２】締切処理・月報画面を示す図である。
【図１３】上水道管修繕工事の管理システムの実行を説明する図である。
【発明を実施するための形態】
【００２０】
以下、この発明の上水道管修繕工事の管理システムの実施の形態について説明する。この発明の実施の形態は、発明の最も好ましい形態を示すものであり、この発明はこれに限定されない。
［上水道管修繕工事調書］
まず、この発明に用いる上水道管修繕工事調書の実施の形態について説明するが、この実施の形態では給・配水管緊急修繕工事調書について、第１の実施の形態と第２の実施の形態について説明する。
【００２１】
（第１の実施の形態）
第１の実施の形態を、図１乃至図３に基づいて説明する。図１は給・配水管緊急修繕工事調書の平面図、図２は添付する修繕工事写真を示す図、図３は給・配水管緊急修繕工事の内容を示す図である。この給・配水管緊急修繕工事は、地方公共団体などの水道事業体が実施しているが、実際の修繕工事は契約した請負施工業者が行っている。すなわち、水道事業体が緊急に修繕工事を行なう場所を決定し、例えば修繕の必要な管や栓の種類および数量などを算出したり、修繕工事内容の詳細を検討し、修繕工事の発注を行う。受注して契約した請負施工業者は、修繕工事指示に基づき修繕工事を施工し、施工が完了したら給・配水管緊急修繕工事調書を発注した水道事業体に届け出る。
【００２２】
この給・配水管緊急修繕工事調書は、用紙のサイズや紙質等は特に限定されないが、Ａ３サイズの普通紙が用いられ、上水道管修繕工事の水道事業体を記載する欄１０と、請負施工業者に対する上水道管修繕工事の指示情報を記載する欄２０と、上水道管修繕工事の修繕工事内容の内訳を記載する欄３０と、上水道管修繕工事の請負施工業者が修繕工事完成届の情報を記載する欄４０と、完了した修繕工事費を記載する欄５０と、水道事業体が修繕工事完成の検査確認情報を記載する欄６０と、を順に有する。
【００２３】
［水道事業体を記載する欄１０］
上水道管修繕工事は、地方公共団体などの水道事業体が実施しているが、実際の修繕工事は、契約した請負施工業者が行っており、この水道事業体を記載する欄１０には、修繕工事の発注を行う水道事業体名を記載する。
【００２４】
［請負施工業者に対する上水道管修繕工事の指示情報を記載する欄２０］
上水道管修繕工事は、水道事業体が管路の緊急修繕の上水道管修繕工事内容の指示情報を記載する。この実施の形態では、請負施工業者に対する上水道管修繕工事の指示情報として、指示番号、指示年月日、工事場所、請負施工年月日、本復旧施工、道路種別、配水本管種別、布設変更給水管種、分類等が記載される。
【００２５】
［上水道管修繕工事の修繕工事内容の内訳を記載する欄３０］
請負施工業者は、上水道管修繕工事の指示情報に基づき上水道管修繕工事を施工し、上水道管修繕工事の修繕工事内容の内訳を記載する欄３０には、修繕工事施工順番に記載する工種項目欄３１と、工種項目の修繕工事内容に応じた内訳明細に基づき員数３２ａ、単価３２ｂ、金額３２ｃを記載する計算欄３２と、を有する。Ｎｏ欄３２ｄにおいて示すＮｏは、水道事業体との請負施工単価契約の単価Ｎｏである。
【００２６】
この実施の形態では、工種項目欄３１には、修繕工事施工順番に、準備費３１ａ、掘削工３１ｂ、材料費３１ｃ、管類補修工３１ｄ、筺室築造及補修３１ｅ、埋戻工３１ｆ、道路復旧工３１ｇ、雑工３１ｈ等が記載され、これらの修繕工事順に施工される。
【００２７】
準備費３１ａでは、内訳明細として調査費とＢ交通対策があり、調査費が単価Ｎｏ４−１によって、Ｂ交通対策が単価Ｎｏ１２−１によって、それぞれ単価が決まり、それぞれ員数と、単価Ｎｏによって決まる単価より金額を求める。
【００２８】
掘削工３１ｂでは、図３に示すように、内訳明細として舗装切断ＡＳ＜２０ｃｍ、舗装版取壊４ｃｍ＜、路盤掘削（人力）、掘削工（機械）、残土処理工（発生土）、産廃処理工（路盤）、産廃処理工（ＡＳ魂）がある。
【００２９】
「舗装切断ＡＳ＜２０ｃｍ」は、アルファルト舗装の厚み２０ｃｍ以下を切断する工事であり、水道事業体との請負施工単価契約の単価Ｎｏ１−１によって単価が決まり、員数と、単価Ｎｏによって決まる単価より金額を求める。
【００３０】
「舗装版取壊４ｃｍ＜」は、舗装版を取り壊す工事であり、水道事業体との請負施工単価契約の単価Ｎｏ９−１によって単価が決まり、員数と、単価Ｎｏによって決まる単価より金額を求めるが、１．００ｍＸ１．６０ｍで取壊面積を算出し、０．９０ｍＸ１．００ｍで取壊面積を算出し、それぞれ取り壊しの員数を求め、修繕工事する面積を１．６０ｍ２と０．９０ｍ２と定め、この員数と、単価Ｎｏによって決まる単価より金額を求める。
【００３１】
「路盤掘削（人力）」は、人力によって路盤を掘削する工種であり、水道事業体との請負施工単価契約の単価Ｎｏ２４−１によって単価が決まり、員数と、単価Ｎｏによって決まる単価より金額を求めるが、１．６０ｍ２の掘削面積について０．３０ｍ掘削し、０．９０ｍ２の掘削面積について０．３０ｍ掘削し、それぞれの掘削土量を算出し、それぞれ掘削の員数を求め、員数と、単価Ｎｏによって決まる単価より金額を求める。
【００３２】
「掘削工（機械）」は、機械によって地盤を掘削する工種であり、水道事業体との請負施工単価契約の単価Ｎｏ３０−１によって単価が決まり、員数と、単価Ｎｏによって決まる単価より金額を求めるが、１．６０ｍ２の掘削面積について１．１５ｍ掘削し、０．９０ｍ２の掘削面積について１．０５ｍ掘削し、それぞれの掘削土量を算出し、それぞれ掘削の員数を求め、員数と、単価Ｎｏによって決まる単価より金額を求める。
【００３３】
「残土処理工（発生土）」は、地盤を掘削することで発生した土を処理する工事であり、水道事業体との請負施工単価契約の単価Ｎｏ３２−１によって単価が決まり、員数と、単価Ｎｏによって決まる単価より金額を求めるが、掘削工（機械）で掘削して発生した掘削土量を処理するための員数に換算し、この員数と、単価Ｎｏによって決まる単価より金額を求める。
【００３４】
「産廃処理工（路盤）」は、掘削した路盤を廃棄する工事であり、水道事業体との請負施工単価契約の単価Ｎｏ３３−１によって単価が決まり、員数と、単価Ｎｏによって決まる単価より金額を求めるが、路盤掘削（人力）で掘削して発生した掘削土量を処理するための員数を求め、この員数と、単価Ｎｏによって決まる単価より金額を求める。
【００３５】
「産廃処理工（ＡＳ魂）」は、取り壊した舗装版の魂を廃棄する工事であり、水道事業体との請負施工単価契約の単価Ｎｏ３４−１によって単価が決まり、員数と、単価Ｎｏによって決まる単価より金額を求めるが、１．６０ｍ２の掘削面積について０．３０ｍ掘削し、０．９０ｍ２の掘削面積について０．３０ｍ掘削し、この掘削量から廃棄処理量を算出し、それぞれ員数を求め、それぞれ員数と、単価Ｎｏによって決まる単価より金額を求める。
【００３６】
材料費３１ｃは、掘削工３１ｂにおいて使用した材料を記載し、それぞれの材料について水道事業体との請負施工単価契約の単価Ｎｏによって単価が決まり、員数と、単価Ｎｏによって決まる単価より金額を求める。
【００３７】
管類補修工３１ｄは、掘削工３１ｂにおいて施工した管類補修を記載し、それぞれ水道事業体との請負施工単価契約の単価Ｎｏによって単価が決まり、員数と、単価Ｎｏによって決まる単価より金額を求める。この掘削工３１ｂにおいては、室築造及補修３１ｅを行なっていない。
【００３８】
埋戻工３１ｆは、洗砂による埋戻工、明示シートの敷設、下層路盤再ＣＲ２０ｃｍ、上層路盤再ＭＣ１５ｃｍ、仮復旧表層再密ＡＳ５５ｃｍの工事を行い、それぞれ水道事業体との請負施工単価契約の単価Ｎｏによって単価が決まり、員数と、単価Ｎｏによって決まる単価より金額を求める。
【００３９】
この実施の形態では、道路復旧工３１ｇを行う。
【００４０】
雑工３１ｈは、修繕工事の写真撮影をデジタルカメラで行い、撮影した修繕工事の写真を、図２に示すように、Ａ３サイズの普通紙に修繕工事順に貼り付ける。この雑工３１ｈは、水道事業体との請負施工単価契約の単価Ｎｏ７３−１によって単価が決まり、員数と、単価Ｎｏによって決まる単価より金額を求める。
【００４１】
最後に、全部の工事価格欄３３には、準備費３１ａ、掘削工３１ｂ、材料費３１ｃ、管類補修工３１ｄ、室築造及補修３１ｅ、埋戻工３１ｆ、道路復旧工３１ｇ、雑工３１ｈの合計金額が記載され、消費税欄３４には、合計金額に対する消費税が記載され、請負工事費・計欄３５には、合計金額と消費税を合計した金額が記載される。
【００４２】
［請負施工業者が修繕工事完成届の情報を記載する欄４０］
請負施工業者は、修繕工事が完了すると、年月日、施工業者名、捺印等の修繕工事完成届の情報を記載し、地方公共団体などの水道事業体へ給・配水管緊急修繕工事調書を届け出る。
【００４３】
［完了した工事費を記載する欄５０］
水道事業体は、契約した請負施工業者から給・配水管緊急修繕工事調書を受け取ると、記載された内容の検査を行い、完了した工事費の総計を記載する。
【００４４】
［水道事業体が修繕工事完成の検査確認情報を記載する欄６０］
水道事業体の検査確認を行なう担当者は、検査の結果完成と認めると、年月日と氏名を記載し、捺印する。これにより、調定番号が与えられてそれぞれの担当者が検印を行い、工事費の支払い処理などが行なわれる。
【００４５】
このように、請負施工業者は、水道事業体からの上水道管修繕工事の指示に基づき上水道管修繕工事を施工し、この修繕工事内容の内訳を修繕工事施工順番に修繕工事の種類を記載し、修繕工種事項目の修繕工事内容に応じた内訳明細に基づき員数、水道事業体との請負施工単価契約の単価、金額を記載し、さらに修繕工事の状態を撮影した修繕工事写真情報を記載することで、水道事業体では上水道管修繕工事の修繕工事写真整理及び請負工事費精算、ならびに工事材料の入出庫などの確認や管理作業が容易である。
【００４６】
（第２の実施の形態）
第２の実施の形態を、図４に基づいて説明する。図４は給・配水管緊急修繕工事調書の平面図ある。この第２の実施の形態は、第１の実施の形態と同じ構成であるが、上水道管修繕工事の工事内容の内訳を記載する欄３０において、修繕工事施工順番に記載する工種項目欄３１と、工種項目の工事内容に応じた内訳明細に基づき員数３２ａ、水道事業体との請負施工単価契約の単価３２ｂの金額を記載する計算欄３２と、工事内容に応じた掘削面積、掘削土量計算、埋戻土量計算、修繕工事の影響部分面積、残土処理土量計算、産廃処理工などの計算式を別の欄に記載するものであり、これ以外が同様に構成されるから同じ符号を付して説明を省略する。
【００４７】
［上水道管修繕工事の管理システム］
次に、上水道管修繕工事の管理システムを、図５乃至図１２に基づいて説明する。図５は上水道管修繕工事の管理システムの概略構成図、図６は上水道管修繕工事の管理システムの概略ブロック図、図７は管理システムのメニュー画面を示す図、図８は受付台帳閲覧画面を示す図、図９は修繕工事写真取込画面を示す図、図１０は調書作成画面を示す図、図１１は修繕工事写真一覧表示画面を示す図、図１２は締切処理・月報画面を示す図である。
【００４８】
この上水道管修繕工事の管理システムは、第１の実施の形態の給・配水管緊急修繕工事調書のデータを用いているが、第２の実施の形態の給・配水管緊急修繕工事調書のデータを用いて管理することもできる。この上水道管修繕工事の管理システムは、図５に示すように、修繕工事データ管理サーバ１００と請負施工業者端末１１０とが接続され、修繕工事データ管理サーバ１００と水道事業体設置端末１２０は、ルータ１４０，１４１とを介してグループアクセスの通信回線１３０によって接続されているが、グループアクセスの通信回線１３０に代えてＩＤとパスワードによってセキュリティーを確保することでインターネットなどの回線も使用できる。
【００４９】
請負施工業者端末１１０は、パソコン本体１１１と、キーボード、マウス等の入力装置１１２、スキャナ等の読み取り装置１１３、液晶ディスプレイ等の表示装置１１４から構成され、パソコン本体１１１は修繕工事データ管理サーバ１００と接続され、請負施工業者の施設に配置される。水道事業体設置端末１２０は、パソコン本体１２１と、キーボード、マウス等の入力装置１２２、スキャナ等の読み取り装置１２３、液晶ディスプレイ等の表示装置１２４から構成されている。
【００５０】
次に、図６に基づき修繕工事データ管理サーバ１００、請負施工業者端末１１０及び水道事業体設置端末１２０の構成を説明する。
【００５１】
（修繕工事データ管理サーバ１００）
修繕工事データ管理サーバ１００は、上水道管修繕工事のデータを記憶する修繕工事受付台帳記憶領域１０１と、上水道管修繕工事調書のデータを記憶する上水道管修繕工事調書記憶領域１０２と、上水道管修繕工事調書の修繕工事写真データを記憶する修繕工事写真記憶領域１０３と、管理システムのソフトウエアを実行するプログラムを記憶したプログラム記憶領域１０４と、を有する。
【００５２】
この上水道管修繕工事の管理システムでは、システムの起動によって、図７に示すように、管理システムのメニュー画面３００が表示される。このメニュー画面３００には、緊急修繕バー３０１、維持修繕バー３０２、写真取込バー３１０、受付台帳バー３１１、調書作成バー３１２、締切処理・月報バー３１３、入金処理バー３１４、支払いシステムバー３１５が設けられ、これらのバーをクリックして選択することで、選択された画面が表示される。
【００５３】
図７は緊急修繕バー３０１が選択された状態を示し、維持修繕バー３０２が選択されると別な画面に切り替わり、選択状態を示す黒枠３０１ａが表示される。緊急修繕工事は至急に修繕工事を行うものであり、維持修繕工事は緊急修繕工事とは別に、緊急性のない維持修繕工事を行うものである。
【００５４】
受付台帳バー３１１が選択されると、修繕工事受付台帳記憶領域１０１が起動して、図８の受付台帳閲覧画面２１０が表示される。この受付台帳閲覧画面２１０には、請負施工業者に対する上水道管修繕工事の指示情報として指示番号欄１０１ａ、工事場所欄１０１ｂ、請負施工年月日として受付月日時間欄１０１ｃ、工事内容欄１０１ｄ、工事施工月日欄１０１ｅ、道路種別欄１０１ｆ、緊急規制内容欄１０１ｇ、舗装有無欄１０１ｈ、本復旧施工月日欄１０１ｉ、占用許可申請書欄１０１ｊ、道路使用許可欄１０１ｋ、調書提出欄１０１ｌ等が設けられ、それぞれの欄にデータが入力される。
【００５５】
写真取込バー３１０が選択されると、修繕工事写真記憶領域１０３が起動して、図９の修繕工事写真取込画面３２０が表示される。この修繕工事写真取込画面３２０には、取り込む修繕工事写真表示３２０ａ、請負施工業者に対する上水道管修繕工事の指示情報として指示番号・枝番号記載欄３２０ｂ、指示番号・枝番号に対応して修繕工事写真の撮影に関する情報記載欄３２０ｃ、写真取込を取り消す取り消しバー３２０ｄ、取り込んだ修繕工事写真を登録する保存バー３２０ｅ等が設けられている。複数毎の修繕工事写真データは、請負施工業者端末１１０から入力され、デジタルカメラで撮影して記憶された記憶カードからＣＤＲ等の記憶媒体に変換し、この記憶媒体から入力して修繕工事写真記憶領域１０３に記憶する。
【００５６】
調書作成バー３１２が選択されると、上水道管修繕工事調書記憶領域１０２が起動して、図１０の修繕工事写真・調書データ画面２２０が表示される。この修繕工事写真・調書データ画面２２０は、第１の実施の形態の上水道管修繕工事調書のデータを記憶するものであり、請負施工業者端末１１０からの操作で、修繕工事施工順番にデータが入力される。この請負施工業者端末１１０からの操作は、キーボード、マウス等の入力装置１１２によるデータ入力である。
【００５７】
修繕工事写真・調書データ画面２２０は、複数毎の修繕工事写真データが表示され、この修繕工事写真データの縮小表示部１０３ａ、拡大表示部１０３ｂ、修繕工事写真を仮復旧写真のみ・本復旧写真のみ、または全部の写真を表示させるための表示切替部１０３ｃを有する。請負施工業者端末１１０及び水道事業体設置端末１２０からの工事写真を縮小表示、拡大表示に切り替える操作は、図１０に示す修繕工事写真・調書画面２２０において、縮小表示ボタン、または拡大表示ボタンをクリックすることによって行う。例えば、拡大表示ボタンをクリックすると図１１に示す修繕工事写真一覧表示画面３３０に切り替わり、縮小表示ボタンをクリックすると元に戻る。また、縮小表示部１０３ａで各写真をクリックするとクリックされた写真は拡大表示部１０３ｂに表示される。図１１の修繕工事写真一覧表示画面３３０には、修繕工事写真を仮復旧写真のみ・本復旧写真のみ、または全部の写真を表示させるための表示切替部１０３ｃが拡大表示される。
【００５８】
請負施工業者端末１１０及び水道事業体設置端末１２０から操作で、修繕工事写真データと、修繕工事データを同一画面に表示可能であり、請負施工業者と水道事業体は、修繕工事内容のなどの確認や管理作業が容易である。
【００５９】
修繕工事が完了すると、請負施工業者は、締切処理・月報バー３１３をクリックすると、図１２に示すように、締切処理・月報画面３４０に切り替わり、この締切処理・月報画面３４０において、月毎の請負修繕工事の締切処理を行い、請求と月報を印刷し、土砂等建設副産物印刷を行い、入金処理バー３１４をクリックすると、給・配水管緊急修繕工事調書に対応した水道事業体からの入金処理を行い、支払いシステムバー３１５をクリックすると、請負施工業者が修繕工事に要した費用の支払いに関する処理を行うことができる。
【００６０】
プログラム記憶領域１０４は、管理システムのソフトウエアを実行するプログラムを記憶した領域であり、このプログラム記憶領域１０４に記憶されたプログラムによってデータ入力、入力されたデータの記憶、データの編集等全ての管理ソフトウエアが実行される。
【００６１】
（請負施工業者端末１１０）
請負施工業者端末１１０は、パーソナルコンピュータが用いられ、入力装置１１２からの操作で、修繕工事データ管理サーバ１００へアクセスして修繕工事データ、修繕工事写真データ等のデータを入力したり、表示装置１１３に表示可能である。表示装置１１３には、入力された修繕工事写真データを表示して容易に確認などができるように大型表示の液晶画面の表示装置が用いられる。
【００６２】
（水道事業体設置端末１２０）
水道事業体設置端末１２０は、パーソナルコンピュータが用いられ、入力装置１２２からの操作で、修繕工事データ管理サーバ１００へアクセスして検査確認などのデータを入力したり、表示装置１２３に工事データ、修繕工事写真データ等のデータを表示可能である。この表示装置１２３には、入力された修繕工事写真データを容易に確認できるように大型表示の液晶画面の表示装置が用いられる。また、読み取り装置１２３としてスキャナを有し、水道事業体の担当者は、スキャナから検査確認の押印を読み込み、修繕工事が終了して給・配水管緊急修繕工事調書のデータ入力が行なわれ、この入力データに基づき検査を行い、修繕工事に問題がないと給・配水管緊急修繕工事調書の所定箇所に読み込んだ検査確認の押印するように記憶する。
【００６３】
（上水道管修繕工事の管理システムの実行）
次に、この上水道管修繕工事の管理システムの実行を、図１３に基づいて説明する。地方公共団体などの水道事業体は、例えば緊急に修繕工事を行なう場所を決定し、修繕の必要な管や栓の種類および数量などを算出したり、工事内容の詳細を検討し、修繕工事の発注を行う。受注して契約した請負施工業者は、工事指示に基づき修繕工事を施工するが、請負施工業者端末１１０から修繕工事データ管理サーバ１００へアクセスして、受注した請負施工業者に対する上水道管修繕工事の指示データを入力装置１１２から入力すると（ステップＳ１）、この指示データは修繕工事データ管理サーバ１００の修繕工事受付台帳記憶領域１０１に記憶される。指示データの入力は、水道事業体から紙に記載されたデータを受け取った場合には、入力装置１１２から手動で行なうが、ＩＣメモリなどの記憶媒に記憶されたデータを受け取った場合には、記憶媒から入力する。
【００６４】
上水道管修繕工事には、例えば緊急修繕工事と維持修繕工事とがあるが、請負施工業者端末１１０からの操作で、緊急修繕工事または維持修繕工事をクリックすることで、緊急修繕工事と維持修繕工事との切替が可能であり、緊急修繕工事の場合は、図８の受付台帳画面２１０が表示される（ステップＳ２）。この受付台帳画面２１０には、請負施工業者に対する上水道管修繕工事の指示データが入力されており、請負施工業者は指示データに基づき修繕工事を施工する。
【００６５】
それぞれの緊急修繕工事を行い、請負施工業者端末１１０からの操作で、修繕工事データ管理サーバ１００へアクセスして、図８の受付台帳画面２１０を表示し、この受付台帳画面２１０に修繕工事進捗状況データを順次記憶していく。また、図１０の修繕工事写真・調書データ画面２２０を表示し、この修繕工事写真・調書データ画面２２０に修繕工事写真・調書データを順次記憶していく。このように、請負施工業者端末１１０では、修繕工事データ管理サーバ１００へアクセスして、修繕工事受付台帳記憶領域、上水道管修繕工事調書記憶領域、修繕工事写真記憶領域にそれぞれデータを入力、または記憶したデータを表示する。
【００６６】
水道事業体は、それぞれに発注した修繕工事やその修繕工事の進捗状況等を確認して管理する必要があり、水道事業体設置端末１２０から操作で修繕工事データ管理サーバ１００へアクセスして、図８の受付台帳画面２１０を表示し、この受付台帳画面２１０に記憶された修繕工事受付台帳記憶領域に基づく修繕工事進捗状況データを表示し、修繕工事進捗状況を確認することができる。また、図１０の修繕工事写真・調書データ画面２２０を表示し、この修繕工事写真・調書データ画面２２０に記憶された上水道管修繕工事調書記憶領域、修繕工事写真記憶領域にそれぞれ入力された修繕工事写真・調書データを確認することができる。
【００６７】
水道事業体設置端末１２０では、修繕工事写真・調書データを確認し、修繕工事が完了すると、図１０の修繕工事写真・調書データ画面２２０において、上水道管修繕工事調書記憶領域１０２に押印データを入力し、検査確認の押印を行ない図１に示す給・配水管緊急修繕工事調書を作成する。
【００６８】
このように、水道事業体や請負施工業者は、修繕工事データ管理サーバ１００へアクセスして、それぞれ入力されたデータから修繕工事の上水道管修繕工事の指示から着工、施工完了までの工程管理をリアルタイムで把握でき、かつ上水道管修繕工事の精算業務を容易に実行でき、かつ修繕工事内容などの確認や管理作業が容易である（ステップＳ３）。
【００６９】
また、請負施工業者端末１１０からの操作で、修繕工事データ管理サーバ１００へアクセスして、修繕工事写真記憶領域には、工事施工順番に写真データを入力して記憶可能である。このように、請負施工業者端末１１０からの操作で、修繕工事施工順番に修繕工事写真データを入力して記憶可能であり、上水道管修繕工事の状況を修繕工事写真に基づき確認することで精算業務を容易に実行でき、かつ修繕工事内容などの確認や管理作業が容易である。
【００７０】
また、請負施工業者端末１１０及び水道事業体設置端末１２０は、それぞれの端末からの操作で修繕工事データ管理サーバ１００へアクセスして、表示装置１１４と表示装置１２４の画面に図１０の修繕工事写真・調書データ画面２２０を表示し、この表示装置１１４と表示装置１２４の同一の画面に、修繕工事写真データと、修繕工事データを同時に表示可能であり、請負施工業者及び水道事業体は、修繕工事写真データと、修繕工事データを同一画面に表示可能であることから、請負施工業者及び水道事業体は修繕工事内容のなどの確認や管理作業が容易である。  
【００７１】
また、請負施工業者端末１１０及び水道事業体設置端末１２０は、それぞれの端末からの操作で修繕工事データ管理サーバ１００へアクセスして、表示装置１１４と表示装置１２４の画面に、図１０に示すように、写真データを縮小表示、拡大表示、修繕工事施工順番の全部表示に切り替え表示可能であり、請負施工業者及び水道事業体は、それぞれの端末からの操作で画面に、修繕工事写真を縮小表示、拡大表示、修繕工事写真を仮復旧写真のみ・本復旧写真のみ、または全部の写真を切り替え表示することで、請負施工業者及び水道事業体は、上水道管修繕工事の状況を修繕工事写真に基づき細部にわたり正確に確認することで精算業務を容易に実行でき、かつ工事内容などの確認や管理作業が容易である。
【００７２】
また、請負施工業者端末１１０及び水道事業体設置端末１２０は、それぞれの端末からの操作で修繕工事データ管理サーバ１００へアクセスして、表示装置１１４と表示装置１２４の画面に、請負施工業者に対する上水道管修繕工事の指示データを表示可能であり、請負施工業者及び水道事業体は、それぞれの端末からの操作で画面に、請負施工業者に対する上水道管修繕工事の指示データを表示することで、上水道管修繕工事が指示の通りに施工されたかを容易に確認することができる。
【産業上の利用可能性】
【００７３】
この発明は、上水道管修繕工事の修繕工事写真整理及び請負工事費精算、ならびに工事材料の入出庫を含む上水道管修繕工事の管理システムに適用可能であり、上水道管修繕工事の修繕工事写真整理及び請負工事費精算、ならびに工事材料の入出庫などの確認や管理作業が容易である。
【符号の説明】
【００７４】
１０  上水道管修繕工事の水道事業体を記載する欄
２０  請負施工業者に対する上水道管修繕工事の指示情報を記載する欄
３０  上水道管修繕工事の工事内容の内訳を記載する欄
４０  請負施工業者が工事完成届の情報を記載する欄
５０  完了した工事費を記載する欄
６０  水道事業体が工事完成の検査確認情報を記載する欄
１００  修繕工事データ管理サーバ
１０１  修繕工事受付台帳記憶領域
１０２  上水道管修繕工事調書記憶領域
１０３  修繕工事写真記憶領域
１０４  プログラム記憶領域
１１０  請負施工業者端末
１２０  水道事業体設置端末
１３０  グループアクセスの通信回線
【図１】
0005435639.tif 000002
【図２】
0005435639.tif 000003
【図３】
0005435639.tif 000004
【図４】
0005435639.tif 000005
【図５】
0005435639.tif 000006
【図６】
0005435639.tif 000007
【図７】
0005435639.tif 000008
【図８】
0005435639.tif 000009
【図９】
0005435639.tif 000010
【図１０】
0005435639.tif 000011
【図１１】
0005435639.tif 000012
【図１２】
0005435639.tif 000013
【図１３】
0005435639.tif 000014